(57)【要約】【課題】プラズマディスプレイパネルを提供する。【解決手段】互いに離隔されて配置され、その間に放電空間を形成する下部基板及び上部基板と、下部基板と上部基板との間に設けられて放電空間を区画して放電セルを形成する複数の隔壁と、下部基板の上面に互いに平行に形成される複数のアドレス電極と、上部基板の下部にアドレス電極と交差する方向に形成される複数の放電電極と、放電セルの内壁に形成される蛍光体層と、上部基板に形成されて外部の光が放電セルに流入されることを防止するための外光遮蔽部材と、を備え、上部基板の下面には、放電によって放電セルから発生した可視光を集束して外部に出射させる複数の円筒形レンズが前記アドレス電極と平行に形成されるプラズマディスプレイパネル。【選択図】図３
2005302720.tif 000002
【特許請求の範囲】
【請求項１】
互いに離隔されて配置され、その間に放電空間を形成する下部基板及び上部基板と、
前記下部基板と上部基板との間に設けられ、前記放電空間を区画して放電セルを形成する複数の隔壁と、
前記下部基板の上面に互いに平行に形成される複数のアドレス電極と、
前記上部基板の下部に前記アドレス電極と交差する方向に形成される複数の放電電極と、
前記放電セルの内壁に形成される蛍光体層と、
前記上部基板に形成されて外部の光が前記放電セルに流入されることを防止するための外光遮蔽部材と、を備え、
前記上部基板の下面には、放電によって前記放電セルから発生した可視光を集束して外部に出射させる複数の円筒形レンズが前記アドレス電極と平行に形成されることを特徴とするプラズマディスプレイパネル。
【請求項２】
前記円筒形レンズは、前記上部基板に一体に形成されることを特徴とする請求項１に記載のプラズマディスプレイパネル。
【請求項３】
前記円筒形レンズそれぞれは、前記放電セルに対応するサイズに形成されることを特徴とする請求項１に記載のプラズマディスプレイパネル。
【請求項４】
前記放電電極は、前記円筒形レンズの下面に形成されることを特徴とする請求項１に記載のプラズマディスプレイパネル。
【請求項５】
前記円筒形レンズの下面には、透明な材質の物質層が前記円筒形レンズを覆うように形成されることを特徴とする請求項１に記載のプラズマディスプレイパネル。
【請求項６】
前記放電電極は、前記物質層の下面に形成されることを特徴とする請求項５に記載のプラズマディスプレイパネル。
【請求項７】
前記外光遮蔽部材は、前記上部基板の上面に前記アドレス電極と平行に形成される複数のブラックストライプを含むことを特徴とする請求項１に記載のプラズマディスプレイパネル。
【請求項８】
前記ブラックストライプは、前記放電セルから発生した可視光が出射される領域以外の領域に形成されることを特徴とする請求項７に記載のプラズマディスプレイパネル。
【請求項９】
前記ブラックストライプ間の中心線は、前記円筒形レンズの中心線に対応するように位置することを特徴とする請求項７に記載のプラズマディスプレイパネル。
【請求項１０】
前記ブラックストライプは、ＥＭＩ遮蔽用導電膜を含むことを特徴とする請求項７に記載のプラズマディスプレイパネル。
【請求項１１】
前記ブラックストライプ間の前記上部基板の上面は、無反射処理されることを特徴とする請求項７に記載のプラズマディスプレイパネル。
【請求項１２】
前記隔壁は、前記アドレス電極と平行に形成されることを特徴とする請求項１に記載のプラズマディスプレイパネル。
【請求項１３】
前記放電電極の下面には、バス電極が形成されることを特徴とする請求項１に記載のプラズマディスプレイパネル。
【請求項１４】
前記下部基板の上面には、第１誘電体層が前記アドレス電極を覆うように形成されることを特徴とする請求項１に記載のプラズマディスプレイパネル。
【請求項１５】
前記上部基板の下部には、第２誘電体層が前記放電電極を覆うように形成されることを特徴とする請求項１４に記載のプラズマディスプレイパネル。
【請求項１６】
前記第２誘電体層の下面には、保護膜が形成されることを特徴とする請求項１５に記載のプラズマディスプレイパネル。
【請求項１７】
互いに離隔されて配置され、その間に放電空間を形成する下部基板及び上部基板と、
前記下部基板と上部基板との間に設けられ、前記放電空間を区画して放電セルを形成する複数の隔壁と、
前記下部基板の上面に互いに平行に形成される複数のアドレス電極と、
前記上部基板の下部に前記アドレス電極と交差する方向に形成される複数の放電電極と、
前記放電セルの内壁に形成される蛍光体層と、
前記上部基板に形成されて外部の光が前記放電セルに流入されることを防止するための外光遮蔽部材と、を備え、
前記上部基板の下面には、放電によって前記放電セルから発生した可視光を集束して外部に出射させる複数の凸レンズが形成されることを特徴とするプラズマディスプレイパネル。
【請求項１８】
前記凸レンズは、前記上部基板に一体に形成されることを特徴とする請求項１７に記載のプラズマディスプレイパネル。
【請求項１９】
前記凸レンズは、前記放電セルそれぞれに対応して形成されることを特徴とする請求項１７に記載のプラズマディスプレイパネル。
【請求項２０】
前記放電電極は、前記凸レンズの下面に形成されることを特徴とする請求項１７に記載のプラズマディスプレイパネル。
【請求項２１】
前記凸レンズの下面には、透明な材質の物質層が前記凸レンズを覆うように形成されることを特徴とする請求項１７に記載のプラズマディスプレイパネル。
【請求項２２】
前記放電電極は、前記物質層の下面に形成されることを特徴とする請求項２１に記載のプラズマディスプレイパネル。
【請求項２３】
前記外光遮蔽部材は、前記上部基板の上面に形成されるブラックマスクを含むことを特徴とする請求項１７に記載のプラズマディスプレイパネル。
【請求項２４】
前記ブラックマスクには、前記放電セルから発生した可視光が通過するように貫通孔が形成されることを特徴とする請求項２３に記載のプラズマディスプレイパネル。
【請求項２５】
前記貫通孔を通じて露出される前記上部基板の上面は、無反射処理されることを特徴とする請求項２４に記載のプラズマディスプレイパネル。
【請求項２６】
前記ブラックマスクは、ＥＭＩ遮蔽用導電膜を含むことを特徴とする請求項２３に記載のプラズマディスプレイパネル。
【請求項２７】
前記隔壁は、前記アドレス電極と平行に形成されることを特徴とする請求項１７に記載のプラズマディスプレイパネル。
【請求項２８】
前記放電電極の下面には、バス電極が形成されることを特徴とする請求項１７に記載のプラズマディスプレイパネル。
【請求項２９】
前記下部基板の上面には、第１誘電体層が前記アドレス電極を覆うように形成されることを特徴とする請求項１７に記載のプラズマディスプレイパネル。
【請求項３０】
前記上部基板の下部には、第２誘電体層が前記放電電極を覆うように形成されることを特徴とする請求項２９に記載のプラズマディスプレイパネル。
【請求項３１】
前記第２誘電体層の下面には、保護膜が形成されることを特徴とする請求項３０に記載のプラズマディスプレイパネル。
【発明の詳細な説明】
【技術分野】
【０００１】
本発明は、プラズマディスプレイパネル（Ｐｌａｓｍａ Ｄｉｓｐｌａｙ Ｐａｎｅｌ：ＰＤＰ ）に係り、詳細には、輝度及び明室コントラストを向上させうる改善された構造のＰＤＰに関する。
【背景技術】
【０００２】
ＰＤＰは、電気的な放電を利用して画像を形成する装置であって、輝度や視野角などの表示性能に優れてその使用が増大しつつある。このようなＰＤＰは、電極に印加される直流または交流電圧によって、電極間でガス放電が起こり、このガス放電過程で伴われる紫外線の放射によって蛍光体が励起されて可視光を発散する。
【０００３】
前記ＰＤＰは、その放電形式によって直流（ＤＣ：Ｄｉｒｅｃｔ Ｃｕｒｒｅｎｔ）型と交流（ＡＣ：Ａｌｔｅｒｎａｔｅ Ｃｕｒｒｅｎｔ）型とに分類されうる。ＤＣ型ＰＤＰは、全ての電極が放電空間に露出される構造であって、対応電極間に電荷の移動が直接的になされる。ＡＣ型ＰＤＰは、少なくとも一つの電極が誘電体層より覆われ、対応する電極間に直接的な電荷の移動がなされない代わりに、壁電荷によって放電が行われる。
【０００４】
また、ＰＤＰは、電極の配置構造によって対向放電型と面放電型とに分類されうる。対向放電型ＰＤＰは、対をなす二つの維持電極がそれぞれ前面基板と背面基板とに配置された構造であって、放電が基板に垂直方向に形成される。面放電型ＰＤＰは、対をなす二つの維持電極が同じ基板上に配置された構造であって、放電が基板に平行に形成される。
【０００５】
しかし、前記対向放電型ＰＤＰは、発光効率は高いが、逆に、プラズマによって蛍光体層が容易に劣化するという短所があって、近来には、面放電型ＰＤＰが主流をなしている。
【０００６】
図１及び図２には、従来の一般的な面放電型ＰＤＰが示されている。図２では、ＰＤＰの内部構造をさらに知りやすく示すために、上部基板のみ９０°回転した状態に示されている。
【０００７】
図１及び図２を共に参照すれば、従来のＰＤＰは、相互対面する下部基板１０と上部基板２０とを備える。
【０００８】
下部基板１０の上面には、複数のアドレス電極１１がストライプ状に配列されており、このアドレス電極１１は、白色の第１誘電体層１２によって埋め込まれている。そして、第１誘電体層１２の上面には、放電セル１４間の電気的、光学的クロストークを防止するための複数の隔壁１３が互いに所定間隔で形成されている。この隔壁１３によって区画された放電セル１４の内面には、それぞれ赤色（Ｒ）、緑色（Ｇ）、青色（Ｂ）の蛍光体層１５が所定厚さに塗布されている。そして、前記放電セル１４の内部には、プラズマ放電のためのガスとして一般的に使われるネオン（Ｎｅ）ガスと少量のキセノン（Ｘｅ）ガスとが混合された放電ガスが充填される。
【０００９】
上部基板２０は、可視光が透過されうる透明基板であって、主にガラスで作られ、隔壁１３が設けられた下部基板１０に結合される。上部基板２０の下面には、前記アドレス電極１１と直交するストライプ状の維持電極２１ａ，２１ｂが対をなして形成されている。前記維持電極２１ａ，２１ｂは、可視光が透過されうるように、主にＩＴＯ（Ｉｎｄｉｕｍ Ｔｉｎ Ｏｘｉｄｅ）のような透明な導電性材料よりなる。そして、前記維持電極２１ａ，２１ｂのライン抵抗を減らすために、維持電極２１ａ，２１ｂそれぞれの下面には、金属材質よりなるバス電極２２ａ，２２ｂが維持電極２１ａ，２１ｂより幅を狭くして形成されている。このような維持電極２１ａ，２１ｂとバス電極２２ａ，２２ｂとは、透明な第２誘電体層２３によって埋め込まれており、第２誘電体層２３の下面には、保護膜２４が形成されている。前記保護膜２４は、プラズマ粒子のスパッタリングによる第２誘電体層２３の損傷を防止し、２次電子を放出して放電電圧を低める役割を行うものであって、一般的に、酸化マグネシウム（ＭｇＯ）よりなる。一方、前記上部基板２０の上面には、外部からパネル内部に光が流入されることを防止するために複数のブラックストライプ３０が所定間隔で前記維持電極２１ａ，２１ｂと平行に形成されている。
【００１０】
このような構成を有する従来のＰＤＰの駆動は、アドレス放電のための駆動と維持放電のための駆動とに大別される。アドレス放電は、アドレス電極１１と維持電極２１ａ，２１ｂのうち何れか一つの電極との間で発生し、このとき、壁電荷が形成される。維持放電は、壁電荷が形成された放電セル１４に位置する維持電極２１ａ，２１ｂ間の電位差によって発生する。この維持放電時に放電ガスから発生する紫外線によって当該放電セル１４の蛍光体層１５が励起されて可視光が発散され、この可視光が上部基板２０を通じて出射されつつユーザが認識できる画像を形成する。
【００１１】
しかし、前記のような構造のＰＤＰでは、外部が明るい条件、すなわち、明室条件では、外部の光がパネルの放電セル１４の内部に流入されて放電セル１４で発生した光と外部から流入された光とが重畳される。その結果、明室コントラストが低下してＰＤＰの画面表示能力が劣化する。
【発明の開示】
【発明が解決しようとする課題】
【００１２】
本発明は、前記問題点を解決するために案出されたものであって、上部基板の構造を改善して輝度及び明室コントラストを向上させうるＰＤＰを提供するのにその目的がある。
【課題を解決するための手段】
【００１３】
前記目的を達成するために、本発明の実施例によるＰＤＰは、互いに離隔されて配置され、その間に放電空間を形成する下部基板及び上部基板と、前記下部基板と上部基板との間に設けられ、前記放電空間を区画して放電セルを形成する複数の隔壁と、前記下部基板の上面に互いに平行に形成される複数のアドレス電極と、前記上部基板の下部に前記アドレス電極と交差する方向に形成される複数の放電電極と、前記放電セルの内壁に形成される蛍光体層と、前記上部基板に形成されて外部の光が前記放電セルに流入されることを防止するための外光遮蔽部材と、を備え、前記上部基板の下面には、放電によって前記放電セルから発生した可視光を集束して外部に出射させる複数の円筒形レンズが前記アドレス電極と平行に形成される。
【００１４】
ここで、前記円筒形レンズは、前記上部基板に一体に形成され、前記円筒形レンズそれぞれは、前記放電セルに対応するサイズに形成されることが望ましい。
【００１５】
前記放電電極は、前記円筒形レンズの下面に形成されうる。
【００１６】
一方、前記円筒形レンズの下面には、透明な材質の物質層が前記円筒形レンズを覆うように形成され、前記放電電極は、前記物質層の下面に形成されることもある。
【００１７】
前記外光遮蔽部材は、前記上部基板の上面に前記アドレス電極と平行に形成される複数のブラックストライプを含む。ここで、前記ブラックストライプは、前記放電セルから発生した可視光が出射される領域以外の領域に形成され、前記ブラックストライプ間の中心線は、前記円筒形レンズの中心線に対応するように位置することが望ましい。そして、前記ブラックストライプは、ＥＭＩ遮蔽用導電膜を含みうる。
【００１８】
前記ブラックストライプ間の前記上部基板の上面は、無反射処理されることが望ましい。
【００１９】
前記隔壁は、前記アドレス電極と平行に形成されることが望ましい。
【００２０】
前記下部基板の上面には、第１誘電体層が前記アドレス電極を覆うように形成されうる。そして、前記放電電極の下面には、バス電極が形成されうる。
【００２１】
前記上部基板の下部には、第２誘電体層が前記放電電極を覆うように形成され、前記第２誘電体層の下面には保護膜が形成されうる。
【００２２】
本発明の他の実施例によるＰＤＰは、互いに離隔されて配置され、その間に放電空間を形成する下部基板及び上部基板と、前記下部基板と上部基板との間に設けられ、前記放電空間を区画して放電セルを形成する複数の隔壁と、前記下部基板の上面に互いに平行に形成される複数のアドレス電極と、前記上部基板の下部に前記アドレス電極等と交差する方向に形成される複数の放電電極と、前記放電セルの内壁に形成される蛍光体層と、前記上部基板に形成されて外部の光が前記放電セルに流入されることを防止するための外光遮蔽部材と、を備え、前記上部基板の下面には、放電によって前記放電セルから発生した可視光を集束して外部に出射させる複数の凸レンズが形成される。
【００２３】
ここで、前記凸レンズは、前記放電セルそれぞれに対応して形成されることが望ましい。
【００２４】
前記放電電極は、前記凸レンズの下面に形成されうる。
【００２５】
一方、前記凸レンズの下面には、透明な材質の物質層が前記凸レンズを覆うように形成され、前記放電電極は、前記物質層の下面に形成されることもある。
【００２６】
前記外光遮蔽部材は、前記上部基板の上面に形成されるブラックマスクを含む。ここで、前記ブラックマスクには、前記放電セルから発生した可視光が通過するように貫通孔が形成され、前記貫通孔を通じて露出される前記上部基板の上面は、無反射処理されることが望ましい。そして、前記ブラックマスクは、ＥＭＩ遮蔽用導電膜を含みうる。
【発明の効果】
【００２７】
本発明によるＰＤＰによれば、次のような効果がある。
【００２８】
第一に、各放電セルから発生した可視光を集束して出射させる複数の円筒形レンズまたは凸レンズが上部基板の下面に形成されることによって可視光の損失を減らすことができ、これにより、パネルの輝度を向上させうる。
【００２９】
第二に、外光のパネル内部への流入を防止するブラックストライプまたはブラックマスクが上部基板の上面に従来より大きい面積を有して形成されうるので、パネルの明室コントラストを向上させうる。
【発明を実施するための最良の形態】
【００３０】
以下、添付された図面を参照して、本発明による望ましい実施例を詳細に説明する。  
【００３１】
図面で、同じ参照符号は、同じ構成要素を表す。
【００３２】
図３は、本発明の実施例によるＰＤＰの一部を切開して示す斜視図であり、図４は、図３に示されたＰＤＰの内部構造を示す断面図である。
【００３３】
図３及び図４を参照すれば、本発明の実施例によるＰＤＰは、互いに離隔されて対向されるように配置される下部基板１１０と上部基板１２０とを備える。ここで、前記下部基板１１０と上部基板１２０との間の空間は、プラズマ放電が発生する放電空間となる。
【００３４】
前記下部基板１１０は、ガラス基板であって、その上面にはアドレス放電のための複数のアドレス電極１１１が互いに平行にストライプ状に形成される。そして、前記下部基板１１０の上面には、第１誘電体層１１２が前記アドレス電極１１１を覆うように形成される。このような第１誘電体層１１２は、下部基板１１０の上面に白色の誘電物質を所定厚さに塗布することによって形成されうる。
【００３５】
前記第１誘電体層１１２の上面には、複数の隔壁１１３が所定間隔でアドレス電極１１１と平行に形成される。前記隔壁１１３は、下部基板１１０と上部基板１２０との間の放電空間を区画して放電セル１１４を形成する。そして、このような隔壁１１３は、隣接する放電セル１１４間に電気的、光学的クロストークを防止して色純度を向上させる役割を行う。前記放電セル１１４の内壁をなす第１誘電体層１１２の上面及び隔壁１１３の側面には、それぞれ赤色（Ｒ）、緑色（Ｇ）、青色（Ｂ）の蛍光体層１１５が所定厚さに塗布されている。前記蛍光体層１１５は、プラズマ放電によって発生した紫外線によって励起されて所定色相の可視光を放出する。そして、前記放電セル１１４の内部には、プラズマ放電のためのガスとして一般的に使われるネオン（Ｎｅ）ガスと少量のキセノン（Ｘｅ）ガスとが混合された放電ガスが充填される。
【００３６】
前記上部基板１２０は、可視光が透過されうる透明基板であって、主にガラス基板が使われる。そして、前記上部基板１２０の下面には、複数の円筒形レンズ１２０ａがアドレス電極１１１と平行に形成される。ここで、前記円筒形レンズ１２０ａは、それぞれ放電セル１１４に対応するサイズで形成される。このような円筒形レンズ１２０ａは、放電によって放電セル１１４から発生した可視光をアドレス電極１１１と直交する方向に集束して外部に出射させる役割を行う。このように、上部基板１２０の下面に円筒形レンズ１２０ａを形成することによって放電セル１１４から発生した可視光の損失を減らすことができ、これにより、パネルの輝度が向上しうる。一方、前記円筒形レンズ１２０ａは、前記上部基板１２０に一体に形成されることが望ましく、これは、上部基板１２０の下面を加工することによってなされうる。
【００３７】
前記円筒形レンズ１２０ａそれぞれの下面には、放電セル１１４の内部の維持放電のための第１及び第２放電電極１２１ａ，１２１ｂが対をなして形成される。ここで、前記第１及び第２放電電極１２１ａ，１２１ｂは、アドレス電極１１１と直交する方向に形成される。前記第１及び第２放電電極１２１ａ，１２１ｂは、放電セル１１４から発生した可視光が透過されるように主にＩＴＯのような透明な導電性材料よりなる。そして、前記第１及び第２放電電極１２１ａ，１２１ｂの下面には、それぞれ金属材質よりなる第１及び第２バス電極１２２ａ，１２２ｂが形成される。前記第１及び第２バス電極１２２ａ，１２２ｂは、それぞれ第１及び第２放電電極１２１ａ，１２１ｂのライン抵抗を減らすための電極であって、第１及び第２放電電極１２１ａ，１２１ｂより狭い幅に形成される。
【００３８】
前記円筒形レンズ１２０ａの下面には、前記第１及び第２放電電極１２１ａ，１２１ｂと第１及び第２バス電極１２１ａ，１２１ｂとを覆うように第２誘電体層１２３が形成される。このような第２誘電体層１２３は、上部基板１２０の下面に透明な誘電物質を所定厚さに塗布することによって形成されうる。
【００３９】
そして、前記第２誘電体層１２３の下面には、保護膜１２４が形成される。前記保護膜１２４は、プラズマ粒子のスパッタリングによって第２誘電体層１２３と第１及び第２放電電極１２１ａ，１２１ｂとが損傷されることを防止し、２次電子を放出して放電電圧を低める役割を行う。前記保護膜１２４は、第２誘電体層１２３の下面に酸化マグネシウム（ＭｇＯ）を所定厚さに塗布することによって形成されうる。
【００４０】
前記上部基板１２０の上面には、外部の光が上部基板１２０を通じて放電セル１１４に流入されることを防止するために外光遮蔽部材が設けられる。前記外光遮蔽部材は、上部基板１２０の上面に一定間隔で平行に形成された複数のブラックストライプ１３０よりなる。ここで、前記ブラックストライプ１３０は、アドレス電極１１１と平行に、すなわち円筒形レンズ１２０ａと平行に一定の幅を有して形成される。前記ブラックストライプ１３０は、放電時放電セル１１４から発生した可視光が出射される領域以外の領域に形成される。そして、前記ブラックストライプ１３０間の中心線は、円筒形レンズ１２０ａの中心にそれぞれ対応するように位置する。このように、上部基板１２０の上面にブラックストライプ１３０が形成されれば、放電によって放電セル１１４から発生した可視光は、図４に示されたように、円筒形レンズ１２０ａによって上部基板１２０の上面で集束された後に外部に拡散されて出射される。したがって、前記ブラックストライプ１３０は、上部基板１２０の上面に従来よりさらに広い幅を有して形成されうるので、外部の光が放電セル１１４に流入されることをさらに効果的に防止でき、その結果、パネルの明室コントラストが向上しうる。そして、前記ブラックストライプ１３０には、ＥＭＩ（Ｅｌｅｃｔｒｏ Ｍａｇｎｅｔｉｃ Ｉｎｔｅｒｆｅｒｅｎｃｅ：電磁波干渉）遮蔽用導電膜が含まれうる。
【００４１】
一方、前記ブラックストライプ１３０間の上部基板１２０の上面１４０は、無反射処理されている。これは、外光が上部基板１２０に反射されて発生する眩しさ効果を防止するためのものである。
【００４２】
前記のような構造のＰＤＰで、まず、アドレス電極１１１と第１及び第２放電電極１２１ａ，１２１ｂのうち何れか一つの電極との間でアドレス放電が起これば、壁電荷が形成される。次いで、第１及び第２放電電極１２１ａ，１２１ｂに交流電圧が印加されれば、壁電荷が形成された放電セル１１４の内部で維持放電が発生する。このような維持放電によって放電ガスから紫外線が発生し、このように発生した紫外線は、蛍光体層１１５を励起させて可視光を発生させる。
【００４３】
そして、各放電セル１１４から発生した可視光は、円筒形レンズ１２０ａによってブラックストライプ１３０間の無反射処理された上部基板１２０の上面１４０に集束された後に外部に拡散されて出射される。これにより、放電セル１１４から発生した可視光の損失を減らしてパネルの輝度を向上させうる。
【００４４】
そして、上部基板１２０の上面に形成されるブラックストライプ１３０の比率を従来より高めうるので、パネルの明室コントラストを向上させうる。詳しくは、ブラックストライプ１３０の比率を既存のＰＤＰの限界点である５０％とした時、明室コントラストは７０：１であった。これについて、本発明の実施例によるＰＤＰで、ブラックストライプ１３０の比率をそれぞれ６０％、７０％とした時、明室コントラストは、それぞれ１３０：１、１９５：１であった。そして、ブラックストライプ１３０の比率を本実施例によるＰＤＰの限界点である８０％とした時、明室コントラストは３００：１であった。以上のように、本実施例によるＰＤＰは、明室コントラストを従来より約４倍まで向上させうる。
【００４５】
図５には、本発明の実施例によるＰＤＰの変形例が示されている。図５を参照すれば、円筒形レンズ１２０ａの下面に前記円筒形レンズ１２０ａを覆うように透明な材質の物質層１５０が形成される。そして、前記物質層１５０の平坦な下面に第１及び第２放電電極１２１ａ，１２１ｂが形成され、前記第１及び第２放電電極１２１ａ，１２１ｂの下面に第１及び第２バス電極１２２ａ，１２２ｂが形成される。このように、円筒形レンズ１２０ａの下面に物質層１５０を形成すれば、前記第１及び第２放電電極１２１ａ，１２１ｂと、第１及び第２バス電極１２２ａ，１２２ｂとを容易に形成できる。
【００４６】
図６は、本発明の他の実施例によるＰＤＰの一部を切開して示す斜視図である。そして、図７Ａ及び図７Ｂは、図６に示されたＰＤＰをアドレス電極と直交する方向及び平行した方向に切断した断面図である。
【００４７】
図６、図７Ａ及び図７Ｂを参照すれば、下部基板２１０と上部基板２２０とが互いに離隔されて配置され、その間に放電空間を形成する。前記下部基板２１０上には、前述したように、アドレス電極２１１と第１誘電体層２１２とが順次に形成される。そして、前記第１誘電体層２１２の上面には、前記放電空間を区画して放電セル２１４を形成する複数の隔壁２１３がアドレス電極２１１と平行に形成される。前記放電セル２１４の内壁をなす第１誘電体層２１２の上面及び隔壁２１３の側面には、蛍光体層２１５が塗布され、前記放電セル２１４には、放電ガスが充填される。
【００４８】
前記上部基板２２０の下面には、複数の凸レンズ２２０ａが形成される。ここで、前記凸レンズ２２０ａは、前記放電セル２１４それぞれに対応するように形成される。このような凸レンズ２２０それぞれは、放電によって放電セル２１４から発生した可視光を上部基板２２０上に１点として集束して外部に出射させる役割を行う。したがって、放電セル２１４から発生した可視光の損失を減らすことができ、これにより、パネルの輝度が向上しうる。一方、前記凸レンズ２２０ａは、上部基板２２０に一体に形成されることが望ましく、これは、上部基板２２０の下面を加工することによってなされうる。
【００４９】
前記凸レンズ２２０ａそれぞれの下面には、放電セル２１４の内部の維持放電のための第１及び第２放電電極２２１ａ，２２１ｂが対をなして形成される。ここで、前記第１及び第２放電電極２２１ａ，２２１ｂは、アドレス電極２１１と直交する方向に形成される。そして、前記第１及び第２放電電極２２１ａ，２２１ｂの下面には、それぞれ金属材質の第１及び第２バス電極２２２ａ，２２２ｂが形成される。
【００５０】
前記凸レンズ２２０ａの下面には、前記第１及び第２放電電極２２１ａ，２２１ｂと前記第１及び第２バス電極２２２ａ，２２２ｂとを覆うように第２誘電体層２２３が形成され、前記第２誘電体層２２３の下面には、保護膜２２４が形成される。
【００５１】
前記上部基板２２０の上面には、外部の光が上部基板２２０を通じて放電セル２１４に流入されることを防止するために外光遮蔽部材が設けられる。前記外光遮蔽部材は、前記上部基板２２０の上面に形成されたブラックマスク２３０よりなる。ここで、前記ブラックマスク２３０には、放電セル２１４から発生した可視光が通過できるように貫通孔２３０ａが形成され、前記貫通孔２３０ａの中心は、前記凸レンズ２２０ａの中心と一致するように位置する。また、前記貫通孔２３０ａを通じて外部に露出される上部基板２２０の上面２４０は、無反射処理されている。前記のような構成で、放電時、放電セル２１４から発生した可視光は、図７Ａ及び図７Ｂに示されたように、凸レンズ２２０ａによって無反射処理された上部基板２２０の上面に集束された後、ブラックマスク２３０に形成された貫通孔２３０ａを通じて外部に拡散されて出射される。したがって、本実施例では、外光の放電セル２１４への流入を前述した実施例の場合よりさらに効果的に防止でき、その結果、パネルの明室コントラストをさらに向上させうる。一方、前記ブラックマスク２３０には、ＥＭＩ遮蔽用導電膜が含まれうる。
【００５２】
本発明の他の実施例によるＰＤＰの変形例が図８Ａ及び図８Ｂに示されている。図８Ａ及び図８Ｂは、それぞれＰＤＰをアドレス電極と直交する方向及び平行した方向に切断した断面図である。
【００５３】
図８Ａ及び図８Ｂを参照すれば、凸レンズ２２０ａの下面に前記凸レンズ２２０ａを覆うように透明な材質の物質層２５０が形成される。そして、前記物質層２５０の平坦な下面に第１及び第２放電電極２２１ａ，２２１ｂが形成され、前記第１及び第２放電電極２２１ａ，２２１ｂの下面に第１及び第２バス電極２２２ａ，２２２ｂが形成される。このように、凸レンズ２２０ａの下面に物質層２５０を形成すれば、前記第１及び第２放電電極２２１ａ，２２１ｂと、第１及び第２バス電極２２２ａ，２２２ｂとを容易に形成できる。
【００５４】
以上、本発明による望ましい実施例が説明されたが、これは、例示的なものに過ぎず、当業者ならば、これから多様な変形及び均等な他の実施例が可能であることが分かる。すなわち、前述した実施例では交流型面放電型ＰＤＰを例として説明されたが、本発明では、これに限定されず、直流型ＰＤＰや対向放電型ＰＤＰも適用されうる。
【産業上の利用可能性】
【００５５】
本発明は、電気的放電を利用して画像を形成する装置であるＰＤＰに適用可能である。
【図面の簡単な説明】
【００５６】
【図１】従来の面放電型ＰＤＰを一部切開して示す斜視図である。
【図２】図１に示されたＰＤＰの内部構造を示す断面図である。
【図３】本発明の実施例によるＰＤＰを一部切開して示す斜視図である。
【図４】図３に示されたＰＤＰの内部構造を示す断面図である。
【図５】本発明の実施例によるＰＤＰの変形例を示す断面図である。
【図６】本発明の他の実施例によるＰＤＰを一部切開して示す斜視図である。
【図７Ａ】図６に示されたＰＤＰをアドレス電極と直交する方向に切断した断面図である。
【図７Ｂ】図６に示されたＰＤＰをアドレス電極と平行に切断した断面図である。
【図８Ａ】本発明の他の実施例によるＰＤＰの変形例を示す断面図である。
【図８Ｂ】本発明の他の実施例によるＰＤＰの変形例を示す断面図である。
【符号の説明】
【００５７】
１１０    下部基板
１１１    アドレス電極
１１２    第１誘電体層
１１３    隔壁
１１５    蛍光体層
１２０    上部基板
１２０ａ    円筒形レンズ
１２１ａ    第１放電電極
１２１ｂ    第２放電電極
１２２ａ    第１バス電極
１２２ｂ    第２バス電極
１２３    第２誘電体層
１２４    保護膜
１３０    ブラックストライプ
１４０    上面
【図１】
2005302720.tif 000003
【図２】
2005302720.tif 000004
【図３】
2005302720.tif 000005
【図４】
2005302720.tif 000006
【図５】
2005302720.tif 000007
【図６】
2005302720.tif 000008
【図７Ａ】
2005302720.tif 000009
【図７Ｂ】
2005302720.tif 000010
【図８Ａ】
2005302720.tif 000011
【図８Ｂ】
2005302720.tif 000012